(57)【要約】【課題】間仕切り本体周囲の隙間を塞ぐことができる屋外用間仕切り装置を提供する。【解決手段】間仕切り本体を壁部に取り付けた屋外用間仕切り装置において、間仕切り本体の外側と壁部との隙間を塞ぐ隙間カバー30と、この隙間カバー30を間仕切り本体の外枠11の外周に固定する固定手段たるネジ41とを備える。隙間カバー30により、間仕切り本体の外側と固定部との間の隙間Ｓが塞がれ、間仕切り本体２により仕切られた隣の空間が目に入ることがない。そして、ネジ41により隙間カバー30を固定するため、間仕切り本体の外枠11などには特別な加工を施す必要がなく、汎用的な各種の間仕切り本体に用いることができる。【選択図】図１
2008267079.tif 000002
【特許請求の範囲】
【請求項１】
間仕切り本体を屋外の固定部に取り付けた屋外用間仕切り装置において、前記間仕切り本体の外側と前記固定部との隙間を塞ぐ隙間カバーと、この隙間カバーを前記間仕切り本体に固定する固定手段とを備えることを特徴とする屋外用間仕切り装置。
【請求項２】
前記固定手段は、前記仕切り本体に固定するネジであることを特徴とする請求項１記載の屋外用間仕切り装置。
【請求項３】
前記隙間カバーは、両側で前記間仕切り本体に当接する基端部を備えることを特徴とする請求項１又は２記載の屋外用間仕切り装置。
【請求項４】
前記隙間カバーは、前記固定部に当接するカバー本体を備えることを特徴とする請求項１〜３のいずれか１項に記載の屋外用間仕切り装置。
【請求項５】
一対の前記カバー本体を備える特徴とする請求項４記載の屋外用間仕切り装置。
【請求項６】
前記隙間カバーは、両側の前記基端部を備えた当接体を備え、この当接体に、前記固定部に当接するカバー本体を取り付ける取付部を設けたことを特徴とする請求項３〜５のいずれか１項に記載の屋外用間仕切り装置。
【発明の詳細な説明】
【技術分野】
【０００１】
本発明は、マンションなどの集合住宅の各戸を仕切るためにベランダ、バルコニー等に設けられる屋外用間仕切り装置に関する。
【背景技術】
【０００２】
一般にこの種の間仕切りはマンション、アパート等の集合住宅のバルコニーやベランダに設置されるものであり、その間仕切りにより隣接する各世帯ごとにバルコニーやベランダ等を仕切っている。
【０００３】
そして、その取付構造としては、間仕切り本体の基部はアングル材、連結ボルト、アングル材及びタッキングねじを介してベランダ躯体及び建築物へ固定するもの（例えば特許文献１）や、間仕切り本体は、取付部材を介して取り付けられ、この取付部材は建物の壁部やバルコニーに形成された垂壁部に固定されるアンカーボルトと、Ｌ型の取付片と、この取付片と間仕切りの枠とを固定するボルト，ナット等の締着部材とを備えたもの（例えば特許文献２）などがあり、また、間仕切りの枠は、縦方向と横方向の枠体をビスなどにより組み立ててなる。
【０００４】
また、前記間仕切りの枠の断面形状は方形以外でも、円形のもの（例えば特許文献３）も知られている。
【特許文献１】実開平２−１８０８９号公報
【特許文献２】実開平５−５８７０２号公報
【特許文献３】特開平８−１４４５７７号公報
【発明の開示】
【発明が解決しようとする課題】
【０００５】
上記のように、間仕切り本体は取付部材等により建物の垂壁部などに沿って固定されるため、間仕切り本体と建物側の垂壁部との間に隙間が発生し、折角、間仕切り本体により隣りと仕切っているにもかかわらず、前記隙間から隣りのバルコニーの一部が見えるという不具合があった。
【０００６】
そこで、本発明は、このような問題を解決しようとするもので、間仕切り本体周囲の隙間を塞ぐことができる屋外用間仕切り装置を提供することを目的とする。
【課題を解決するための手段】
【０００７】
請求項１の発明は、間仕切り本体を屋外の固定部に取り付けた屋外用間仕切り装置において、前記間仕切り本体の外側と前記固定部との隙間を塞ぐ隙間カバーと、この隙間カバーを前記間仕切り本体に固定する固定手段とを備えるものである。
【０００８】
また、請求項２の発明は、前記固定手段は、前記仕切り本体に固定するネジである。
【０００９】
また、請求項３の発明は、前記隙間カバーは、両側で前記間仕切り本体に当接する基端部を備えるものである。
【００１０】
また、請求項４の発明は、前記隙間カバーは、前記固定部に当接するカバー本体を備えるものである。
【００１１】
また、請求項５の発明は、一対の前記カバー本体を備えものである。
【００１２】
また、請求項６の発明は、前記隙間カバーは、両側の前記基端部を備えた当接体を備え、この当接体に、前記固定部に当接するカバー本体を取り付ける取付部を設けたものである。
【発明の効果】
【００１３】
請求項１の発明によれば、隙間カバーにより、間仕切り本体の外側と固定部との間の隙間が塞がれ、間仕切り本体により仕切られた隣の空間が目に入ることがない。
【００１４】
そして、固定手段により隙間カバーを固定するため、間仕切り本体側に特別な加工を施す必要がなく、間仕切り本体には汎用品を用いながら、各種の間仕切り本体に使用することができる。
【００１５】
また、請求項２の発明によれば、間仕切り本体にネジを螺着することにより、隙間カバーを簡便に固定することができる。
【００１６】
また、請求項３の発明によれば、間仕切りの枠体は、縦方向と横方向の枠体をビスなどにより組み立てられ、枠体の外面にビスの頭部が位置していても、このビスの頭部を挟んで両側で、基端部が間仕切り本体に当接するため、固定にビスが邪魔にならない。また、両側で間仕切り本体に当接するため、平面以外でも、間仕切り本体の外枠の曲面にも隙間カバーを固定することができる。
【００１７】
また、請求項４の発明によれば、カバー本体が前記固定部に当接することにより、隙間を塞ぐことができる。
【００１８】
また、請求項５の発明によれば、両側のカバー本体が固定部に当接することにより、一層確実に隙間を塞ぐことができる。
【００１９】
また、請求項６の発明によれば、当接体にカバー本体を取り付け、その当接体を間仕切り本体に固定することにより、隙間を塞ぐことができる。そして、間仕切り装置の大きさ種類や隙間などの条件により、当接体とカバー本体とを組み合わせて使用することができる。
【発明を実施するための最良の形態】
【００２０】
本発明における好適な実施の形態について、添付図面を参照しながら詳細に説明する。なお、以下に説明する実施の形態は、特許請求の範囲に記載された本発明の内容を限定するものではない。また、以下に説明される構成の全てが、本発明の必須要件であるとは限らない。各実施例では、従来とは異なる新規な屋外用間仕切り装置を採用することにより、従来にない屋外用間仕切り装置が得られ、その屋外用間仕切り装置を夫々記述する。
【実施例１】
【００２１】
以下、本発明の屋外用間仕切り装置を添付図面を参照して説明する。図１〜図５は、本発明の実施例１を示し、同図に示すように、間仕切り装置１は、間仕切り本体２と、この間仕切り本体２をバルコニー等の固定部に取り付ける取付手段たる取付部材21とを備える。
【００２２】
前記間仕切り本体２は、アルミニウムまたはその合金製からなる外枠11の略中央に該外枠11と同材質からなる横枠体12が横設されるとともに、前記外枠11内のパネル13が装着されている。前記外枠11は上，下枠体14，14Ａと、この下枠体14Ａの端部から立設された前，後枠体15，15Ａとを有する。それら上，下枠体14，14Ａと前，後枠体15，15Ａの断面形状は、図１及び図２に示すように断面略矩形の枠状部16に凹溝部17が一体に形成されている。
【００２３】
そして、前記パネル13は不燃性の硅酸カルシウム板等からなり、その端部を押え部材18を介して前記凹溝部17に挿入配置し前記外枠11の上下に取付けられ、また、同様に横枠体12にも、上下パネル13，13の端部を挿入配置して取り付けられ、それら上，中，下ＭＰパネル13，13，13のいずれかは避難の際、人力で壊すことが可能なものが用いられる。尚、前記前，後枠体15，15Ａが間仕切り本体２の外側縦部分である。また、図５に示すように、前記上，下枠体14，14Ａと前記前，後枠体15，15Ａは組立用ネジ19により組み立てられ、前，後枠体15，15Ａに挿通した組立用ネジ19を上，下枠体14，14Ａのビスホール（図示せず）に螺合し、上，下枠体14，14Ａに挿通した組立用ネジ19を前，後枠体15，15Ａのビスホール（図示せず）に螺合し、組立用ネジ19の頭部19Ａは枠体14，14Ａ，15，15Ａの外面に位置する。尚、組立用ネジ19は、幅方向の左右と中央の３箇所に並んで用いられ、これらの頭部19Ａ，19Ａ，19Ａの間には間隔が設けられている。
【００２４】
図中101は建物の壁部、102は前記建物の壁部101から外側に形成されたバルコニー躯体であり、前記バルコニー躯体102上方の空間を仕切るように、取付部材21により前記間仕切り本体２が取り付けられる。前記取付部材21は、図３に示すように、前記建物の壁部101やバルコニー躯体102に形成された垂直部たる垂壁部103や支柱104に固定されるアンカーボルト22と、Ｌ型の取付片23と、この取付片23と前記外枠11とを固定するボルト，ナット等の締着部材24とを備え、前記取付部材21により、後枠体15Ａが建物の室内側壁部101に固定されると共に、前枠体15が支柱104に固定されている。尚、この支柱104は、前記垂壁部103と上の庇部105に固定されている。
【００２５】
そして、それら壁部101，バルコニー躯体102及び支柱104により固定部を構成している。
【００２６】
前記後枠体15Ａと前記壁部101との間の隙間Ｓには、隙間カバー30が設けられる。この隙間カバー30は、前記組立用ネジ19の頭部19Ａを挟んだ左右方向（パネル13の厚さ方向）両側で、前記間仕切り本体２の後枠体15Ａの外面20に当接する基端部31，31と、これら基端部31，31を連結する連結部32と、この連結部32の両側から外側に突出するカバー本体33，33とを一体に備え、図１に示す断面形状が長さ方向に連続する。
【００２７】
間隔を置いて配置した前記基端部31，31との間には、凹部34が設けられ、この凹部34内に中央の前記頭部19Ａがほぼ収納される。前記基端部31，31の端部には、相互の間が基端に向って開く傾斜面31Ａ，31Ａが形成されている。尚、傾斜面31Ａは、隙間カバー30の中心軸方向に対して、４５度を超え、かつ９０度未満の角度をなす。また、前記連結部32の両端は前記基端部31，31の外側まで延設され、この延設された端部から前記カバー本体33，33が先端側に向って突設されると共に、これら両側のカバー本体33，33の間隔が先端に向って狭くなるように形成されている。また、前記基端部31，31は、連結部32から基端側に向ってほぼ平行に突設されている。
【００２８】
隙間カバー30は、弾性変形可能な合成樹脂やゴム等によって形成することができ、或いは、カバー本体33，33側を弾性変形可能な材質の材料を用いて形成し、他の連結部32及び基端部31，31を硬質な材料を用いて形成してもよい。また、前記カバー本体33は、全体的にフィン状に形成され、先端部に向かうにしたがって薄肉状となっている。さらに、隙間カバー30は、カバー本体33が固定部に当接した後、変形するように、隙間Ｓの寸法より基端と先端との変形前における寸法Ｗを大きく形成している。尚、隙間カバー30は、ほぼ左右対称である。
【００２９】
前記連結部32の中央にはネジ41を挿通する透孔36が穿設されており、この透孔36は隙間カバー30に複数設けることができる。尚、ネジ41には、その頭部にマイナスドライバーなどが係合する工具係合部が設けられている。また、前記透孔36に対応して、前記後枠体15Ａに貫通孔42を穿設し、この貫通孔42にネジ41を螺合したり、透孔である貫通孔42に挿通した前記ネジ41の先端に、図示しないナット体を螺合したりして、基端部31，31を頭部19Ａ，19Ａの間で後枠体15Ａの外面に当接することにより、後枠体14Ａに隙間カバー30を固定する。
【００３０】
また、図４に示すように、この例では、後枠体15Ａと同様に、前枠体15と支柱104との隙間Ｓ及び上枠体14と庇部105との隙間Ｓに、それぞれ隙間カバー30が設けられている。尚、この例では、庇部105はバルコニー躯体102の下面である。
【００３１】
次に、間仕切り装置１の据付について説明すると、工場で間仕切り本体２を製造し、ネジ41により、前，後枠体15，15Ａ及び上枠体14に隙間カバー30を固定する。そして、間仕切り本体２の前後を複数の取付部材21により、支柱104と壁部101に固定し、バルコニー躯体102上に間仕切り装置１を設ける。この場合、両側のカバー本体33，33の間隔が先端に向って狭くなるように形成されているから、図３に示すように、カバー本体33，33の先端間が狭まるように変形し、カバー本体33，33の先端外側面が固定部に確実に密着し、また、取付部材21の取付片23などと干渉することがない。尚、現場で、固定部の固定する前に、間仕切り本体２に隙間カバー30を固定すればよい。
【００３２】
このように隙間Ｓを隙間カバー30により塞ぐから、室内からバルコニーに出入りする際などに、隙間Ｓから隣りが見えることがない。
【００３３】
このように本実施例では、請求項１に対応して、間仕切り本体２を屋外の固定部たる壁部101に取り付けた屋外用間仕切り装置において、間仕切り本体２の外側と壁部101との隙間Ｓを塞ぐ隙間カバー30と、この隙間カバー30を間仕切り本体２の外枠11の外周に固定する固定手段たるネジ41とを備えるから、隙間カバー30により、間仕切り本体２の外側と固定部との間の隙間Ｓが塞がれ、間仕切り本体２により仕切られた隣の空間が目に入ることがない。
【００３４】
そして、ネジ41により隙間カバー30を固定するため、間仕切り本体２側に特別な加工を施す必要がなく、汎用的な各種の間仕切り本体２に用いることができる。
【００３５】
また、このように本実施例では、請求項２に対応して、前記固定手段は、仕切り本体２に固定するネジ41であるから、間仕切り本体２にネジ41を螺着するなどすることにより、隙間カバー30を簡便に固定することができる。この場合、外枠11にネジ41を螺着してもよいし、外枠11に挿通したネジ41にナット体（図示せず）を螺着して固定してもよい。
【００３６】
また、このように本実施例では、請求項３に対応して、隙間カバー30は、両側で間仕切り本体２の外枠11に当接する基端部31，31を備え、間仕切りの外枠11は、縦方向と横方向の枠体14，14Ａ，15，15Ａが組立用ネジ19などにより組み立てられ、外枠11の外面20に組立用ネジ19の頭部19Ａが位置していても、この頭部19Ａを挟んだ両側で、基端部31，31が間仕切り本体２に当接するため、固定に組立用のビス19が邪魔にならない。また、両側で間仕切り本体２に当接するため、平面以外でも、間仕切り本体２の外枠11の曲面にも隙間カバー30を安定して固定することができる。
【００３７】
また、このように本実施例では、請求項４に対応して、隙間カバー30は、固定部たる壁部101に当接するカバー本体33を備えるから、カバー本体33が壁部101に当接することにより、隙間を塞ぐことができる。
【００３８】
また、このように本実施例では、請求項５に対応して、一対のカバー本体33，33を備えるから、両側のカバー本体33，33が固定部に当接することにより、一層確実に隙間Ｓを塞ぐことができる。
【００３９】
また、実施例上の効果として、間仕切り本体２の外側縦部分たる外枠11の後枠体15Ａに隙間カバー30を設けたから、屋外への出入りなどの際に目につき易い縦方向の隙間Ｓを塞ぐことができる。また、隙間カバー30のカバー本体33は先端に向って薄くなる略帯状をなし、そのカバー本体33の先端を固定部たる壁部101に当接するから、その先端が変形して当接し、隙間Ｓを確実に塞ぐことができる。また、両側のカバー本体33，33の間隔が先端に向って狭くなるように形成されているから、両側のカバー本体33，33の先端が中央側に向いて変形し、スムーズに壁部101の面に当接する。
【実施例２】
【００４０】
図６は、本発明の実施例２を示し、上記実施例１と同一部分に同一符号を付し、その詳細な説明を省略して詳述すると、この例では、枠体14，14Ａ，15，15Ａの枠状部16は断面形状が略円形であり、この外面20が曲面形状をなす枠体15Ａに間仕切り本体２をネジ41により固定する。この場合、両側の基端部31，31は頭部19Ａを挟んで傾斜面31Ａ，31Ａが枠体の外面に当接するから、相互の間が基端に向って開く傾斜面31Ａ，31Ａが枠体の曲面状の外面20に沿うように当接することにより、安定した固定構造が得られる。尚、実施例１と同様に、パネル13は押え部材18により凹溝部17に取り付けられる。尚、円形以外でも、曲面状の外面20を有する各種の外枠に適用可能である。
【００４１】
このように本実施例においては、請求項１〜５に対応して、上記実施例１と同様な作用・効果を奏する。
【実施例３】
【００４２】
図７は、本発明の実施例３を示し、上記各実施例と同一部分に同一符号を付し、その詳細な説明を省略して詳述すると、この例では、実施例１に比べて左右幅の狭い枠体14，14Ａ，15，15Ａに隙間カバー30を固定する例であり、組立用ネジ19の頭部19Ａを挟んで両側で基端部31，31が枠体の外面20に当接する。尚、実施例１と同様に、パネル13は押え部材18により凹溝部17に取り付けられる。
【００４３】
このように本実施例では、請求項１〜５に対応して、上記各実施例と同様な作用・効果を奏する。
【実施例４】
【００４４】
図８は、本発明の実施例４を示し、上記各実施例と同一部分に同一符号を付し、その詳細な説明を省略して詳述すると、この例では、実施例１に比べて幅の広い外枠11を示し、幅方向両側に断面方形の枠状部45，45を設け、これら枠状部45，45の間に前記凹溝部17を設け、前記パネル13の端部を前記凹溝部17に挿入配置し、左右方向のボルト（図示せず）を枠状部45とパネル13端部と枠状部45に挿通し、ナット（図示せず）を螺合して外枠11にパネル13が取り付けられる。尚、組立用ネジ19は、幅方向の１箇所で、外枠11が組み立てられている。
【００４５】
このように本実施例では、請求項１〜５に対応して、上記各実施例と同様な作用・効果を奏し、また、この例のように、複数の組立用ネジ19，19，19の頭部19Ａ，19Ａ，19Ａが外面20に位置する場合でも、頭部19Ａ，19Ａ，19Ａの間で、基端部31，31を外面11に当接することにより、安定した固定状態が得られる。
【実施例５】
【００４６】
図９〜図１０は、本発明の実施例５を示し、上記各実施例と同一部分に同一符号を付し、その詳細な説明を省略して詳述すると、この例では、上記実施例１の枠体を備えた間仕切り本体２において、変形例の隙間カバー30Ａを用いている。
【００４７】
この隙間カバー30Ａは、前記カバー本体33，33の先端を湾曲連結部33Ａにより連結した略Ｕ字状の連結カバー体51を備え、この連結カバー体51を前記連結部32に一体に設けている。尚、ネジ41は、前記連結カバー体51に孔（図示せず）を穿設して、透孔36に挿通する。
【００４８】
そして、間仕切り本体2を固定すると、図１０に示すように、連結カバー体51の先端側が固定部たる壁部101などに当接して潰れるように変形し、連結カバー体51の先端側の外面が固定部に面接触で当接する。
【００４９】
このように本実施例では、請求項１〜５に対応して、上記各実施例と同様な作用・効果を奏し、また、この例では、カバー本体33，33の先端を湾曲連結部33Ａにより連結したから、両側のカバー本体33，33の間にごみが侵入し難い構造が得られ、かつ壁部101などに当接して潰れるように変形し、連結カバー体51の先端側の外面が固定部に面接触で当接するから、気密性の高い当接状態が得られる。
【実施例６】
【００５０】
図１１は、本発明の実施例６を示し、上記各実施例と同一部分に同一符号を付し、その詳細な説明を省略して詳述すると、この例では、上記実施例２の枠体を備えた間仕切り本体２において、前記隙間カバー30Ａを用いた例であり、本実施例においても、請求項１〜５に対応して、上記各実施例と同様な作用・効果を奏する。
【実施例７】
【００５１】
図１２は、本発明の実施例７を示し、上記各実施例と同一部分に同一符号を付し、その詳細な説明を省略して詳述すると、この例では、上記実施例３の枠体を備えた間仕切り本体２において、前記隙間カバー30Ａを用いた例であり、本実施例においても、請求項１〜５に対応して、上記各実施例と同様な作用・効果を奏する。
【実施例８】
【００５２】
図１３は、本発明の実施例８を示し、上記各実施例と同一部分に同一符号を付し、その詳細な説明を省略して詳述すると、この例では、上記実施例４の枠体を備えた間仕切り本体２において、前記隙間カバー30Ａを用いた例であり、本実施例においても、請求項１〜５に対応して、上記各実施例と同様な作用・効果を奏する。
【実施例９】
【００５３】
図１４〜図１５は、本発明の実施例９を示し、上記各実施例と同一部分に同一符号を付し、その詳細な説明を省略して詳述すると、この例では、この例では、上記実施例１の枠体を備えた間仕切り本体２において、変形例の隙間カバー30Ｂを用いている。
【００５４】
この隙間カバー30Ｂは、前記基端部31，31と連結部32とを一体に備えた当接体61を備え、この当接体61は左右方向両側に、先端側に向って突出する腕部62，62を設け、この腕部62の先端に、ほぼ断面半円状の係合突部63が形成され、この係合突部63の両側には段部64，64が形成されている。尚、両側の腕部62，62の間隔が先端に向って狭くなるように形成されている。そして、前記係合突部63が、カバー本体33Ａを取り付ける取付部である。
【００５５】
また、この例では、カバー本体33Ａは、前記当接体61と別体に設けられ、そのカバー本体33Ａは、弾性変形可能なゴム等によって形成され、略一定幅の帯状をなす。前記カバー本体33Ａは、全体的にフィン状に形成され、先端部に向かうにしたがって薄肉状となっており、そのカバー本体33Ａの基端には、嵌合溝65を有する断面Ｃ字状の係合受部66が形成され、この係合受部66に嵌合溝65が嵌合する。また、この嵌合溝65の開口縁には、前記段部64，64に係止する楔状突起67，67を内側に向かって突出形成されている。前記楔状突起63の先端部には前記係合突部63を誘い込むテーパ部68が形成されている。そして、両側のカバー本体33Ａ，33Ａの先端が予め斜め内側を向くように形成されている。
【００５６】
尚、後枠体15Ａなどは、図に示す断面形状が長手方向全長に連続し、隙間カバー30Ｂは後枠体15Ａと略同一長さである。
【００５７】
このように、当接体61とカバー本体33Ａとが別体からなるため、少なくともカバー本体33Ａが弾性変形可能なものであればよく、当接体61は枠体と同様にアルミニウムまたはその合金製としたり、カバー本体33Ａと同様に合成樹脂やゴム等から形成することができる。
【００５８】
そして、テーパー部67により嵌合溝65に係合受部66を挿入するようにして、腕部62にカバー本体33Ａを取り付けた後、当接体61の透孔36にネジ41を挿入し、このネジ41を外枠11の枠体に挿通して固定することにより、枠体に隙間カバー30Ｂを固定する。あるいは、逆に、枠体に当接体61を取り付けた後、腕部62にカバー本体33Ａを取り付けてもよい。
【００５９】
尚、この例の隙間カバー30Ｂは、上記各実施例の枠体14，14Ａ，15，15Ａに用いることができる。
【００６０】
このように本実施例では、請求項１〜５に対応して、上記各実施例と同様な作用・効果を奏し、また、この例では、請求項６に対応して、隙間カバー30Ｂは、両側の基端部31，31を備えた当接体61を備え、この当接体61に、固定部たる壁部101に当接するカバー本体33Ａを取り付ける取付部たる係合突部63を設けたから、当接体61にカバー本体33Ａを取り付け、その当接体61を間仕切り本体２の外枠11に固定することにより、隙間Ｓを塞ぐことができる。そして、間仕切り装置の大きさ種類や隙間などの条件により、当接体61とカバー本体33Ａとを組み合わせて使用することができ、汎用性に優れたものとなる。
【実施例１０】
【００６１】
図１６及び図１７は、本発明の実施例１０を示し、上記各実施例と同一部分に同一符号を付し、その詳細な説明を省略して詳述すると、この例では、同図のハッチングに示すように、隙間カバー30，30Ａにおいて、両側の基端部31，31及び連結部32の一部又は全部からなる当接体61Ａを、アルミニウムまたはその合金などの硬質材料から形成し、他のカバー本体33側を合成樹脂やゴム等から形成する。尚、当接体61Ａとカバー本体33側とは、接合箇所71において、接着などの適宜手段により一体に接合されている。
【００６２】
このように本実施例では、請求項１〜５に対応して、上記各実施例と同様な作用・効果を奏し、また、この例のように、当接体61Ａとカバー本体33側は別材質のものを用いることができ、隙間カバー30，30Ａの固定部に当接する部分が弾性変形可能な所定の弾力性を有する材質から形成されていればよい。
【実施例１１】
【００６３】
図１８は、本発明の実施例１１を示し、上記各実施例と同一部分に同一符号を付し、その詳細な説明を省略して詳述すると、この例では、この例では、上記実施例よりバルコニー躯体102が前後方向に幅広であり、そのバルコニー躯体102の前後幅方向中央に、固定部たる支柱106を立設し、この支柱106の上部は上の庇部105に固定され、前記支柱106の前後にそれぞれ隙間カバー30，30Ａ，30Ｂのいずれかを配置している。
【００６４】
このように本実施例では、請求項１〜６に対応して、上記各実施例と同様な作用・効果を奏し、また、この例では、広いバルコニーを仕切ることができると共に、支柱106両側の隙間Ｓ，Ｓを塞ぐことができる。
【００６５】
以上、本発明の実施形態について詳述したが、本発明は前記各実施形態に限定されるものではなく、本発明の要旨の範囲内で種々の変形実施が可能である。例えば、下枠体とバルコニー躯体との間の隙間に、隙間カバーを設けてもよい。また、取付手段は各種の構造のものを用いることができる。また、実施例では、後枠体の上下に取付手段を設けたが、後枠体に取付手段を設けなくてもよく、すなわち固定部は取付手段を設けない箇所も含む。さらに、前枠体と垂壁部との間などにも、隙間カバーを設けることができる。また、隙間カバーの先端は、間仕切り本体の厚さ方向の外側、内側のどちら側に向けてもよい。また、ボルトもネジに含まれる。
【図面の簡単な説明】
【００６６】
【図１】本発明の実施例１を示す固定状態の隙間カバーの断面図である。
【図２】同上、固定前の隙間カバーの断面図である。
【図３】同上、使用状態の隙間カバー回りの断面図である。
【図４】同上、全体断面図である。
【図５】同上、枠体の要部の拡大正面図である。
【図６】本発明の実施例２を示す固定状態の隙間カバーの断面図である。
【図７】本発明の実施例３を示す固定状態の隙間カバーの断面図である。
【図８】本発明の実施例４を示す固定状態の隙間カバーの断面図である。
【図９】本発明の実施例５を示す固定状態の隙間カバーの断面図である。
【図１０】同上、使用状態の隙間カバー回りの断面図である。
【図１１】本発明の実施例６を示す固定状態の隙間カバーの断面図である。
【図１２】本発明の実施例７を示す固定状態の隙間カバーの断面図である。
【図１３】本発明の実施例８を示す固定状態の隙間カバーの断面図である。
【図１４】本発明の実施例９を示す隙間カバーの断面図である。
【図１５】同上、要部の拡大断面図である。
【図１６】本発明の実施例１０を示す隙間カバーの断面図である。
【図１７】同上、他の隙間カバーの断面図である。
【図１８】本発明の実施例１１を示す全体断面図である。
【符号の説明】
【００６７】
１  間仕切り装置
２  間仕切り本体
11  外枠（外側部分）
12  横枠体
13  パネル
14  上枠体
14Ａ  下枠体
15  前枠体
15Ａ  後枠体（外側縦部分）
19  組立用ビス
20  外面
30，30Ａ，30Ｂ  隙間カバー
31  基端部
32  連結部
33，33Ａ  カバー本体
41  ネジ（固定手段）
61  当接体
63  係合突部（取付部）
101  壁部（固定部）
102  バルコニー躯体
103  垂壁部
104，106  支柱（固定部）
105  上の庇部（固定部）
【図１】
2008267079.tif 000003
【図２】
2008267079.tif 000004
【図３】
2008267079.tif 000005
【図４】
2008267079.tif 000006
【図５】
2008267079.tif 000007
【図６】
2008267079.tif 000008
【図７】
2008267079.tif 000009
【図８】
2008267079.tif 000010
【図９】
2008267079.tif 000011
【図１０】
2008267079.tif 000012
【図１１】
2008267079.tif 000013
【図１２】
2008267079.tif 000014
【図１３】
2008267079.tif 000015
【図１４】
2008267079.tif 000016
【図１５】
2008267079.tif 000017
【図１６】
2008267079.tif 000018
【図１７】
2008267079.tif 000019
【図１８】
2008267079.tif 000020